【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
（i）約10μm未満のd50を有する無機粒状物と、（ii）1または2個の隣接カルボニル基を有する、末端プロパン酸基またはエチレン基を含む第一の化合物を含有する被膜とを含む機能性フィラー。
【請求項２】
前記無機粒状物が、約0.5μm〜約10μm未満なる範囲のd50を有する、請求項1に記載の機能性フィラー。
【請求項３】
（i）無機粒状物と、（ii）1または2個の隣接カルボニル基を有する、末端プロパン酸基またはエチレン基を含む第一の化合物を含有する被膜とを含む機能性フィラーであって、前記無機粒状物が炭酸カルシウムであり、該機能性フィラーは第二のフィラー成分として更にタルクを含む、前記機能性フィラー。
【請求項４】
前記無機粒状物が、約0.5〜約1.5μmなる範囲のd50を有する、請求項1〜3の何れか1項に記載の機能性フィラー。
【請求項５】
前記第一の化合物が、約0.6〜約1.2質量％の量で該機能性フィラー中に存在する、請求項1〜4の何れか1項に記載の機能性フィラー。
【請求項６】
前記第一の化合物が、以下の式（１）を有する：
A-(X-Y-CO)m(O-B-CO)nOH                 (1)
ここで、Aは1または2個の隣接カルボニル基を有する、末端エチレン系結合を含む部分であり；
XはOでありかつmは1〜4であるか、またはXはNでありかつmは1であり；
YはC1-18-アルキレンまたはC2-18-アルケニレンであり；
BはC2-6-アルキレンであり、
nは0〜5であり、
但し、Aがエチレン基に隣接する2個のカルボニル基を含む場合、XはNである、
請求項1〜5の何れか1項に記載の機能性フィラー。
【請求項７】
前記無機粒状物が、アルカリ土類金属の炭酸塩もしくは硫酸塩、含水カンダイト粘土、無水(焼成された)カンダイト粘土、タルク、マイカ、パーライト、珪藻土、水酸化マグネシウム、またはアルミナ3水和物、またはこれらの組合せから選択される、請求項1〜2及び4〜6の何れか1項に記載の機能性フィラー。
【請求項８】
少なくとも１種のポリマーと、請求項1〜7の何れか1項に記載の機能性フィラーとを含むポリマー組成物であって、前記機能性フィラーが、該ポリマー組成物の約5〜約50質量％なる範囲の量で存在する、前記ポリマー組成物。
【請求項９】
請求項8に記載のポリマー組成物から製造された製品。
【請求項１０】
該製品が、パイプまたはチューブである、請求項9に記載の製品。
【請求項１１】
ポリマー組成物における、請求項1〜7の何れか1項に記載の機能性フィラーの、該ポリマー組成物から作られた成形部材のノッチ付きシャルピー衝撃特性を改善するための使用であって、該機能性フィラーが、該ポリマー組成物の約5〜約50質量％なる範囲の量で該ポリマー組成物中に存在することを特徴とする、前記使用。
【請求項１２】
ポリマーと、少なくとも３質量％の機能性フィラーとを含むポリマー組成物であって、
前記ポリマーが、ポリエチレンおよびポリプロピレンの混合物を90〜100質量%含み、
前記機能性フィラーが、（i）無機粒状物及び（ii）1または2個の隣接カルボニル基を有する、末端プロパン酸基またはエチレン基を含む第一の化合物を含有する被膜、を含む、前記ポリマー組成物。
【請求項１３】
前記無機粒状物が約10μm未満のd50を有する、請求項12に記載のポリマー組成物。
【請求項１４】
前記無機粒状物が、約0.5〜約2μmなる範囲のd50を有する、請求項13に記載の機能性フィラー。
【請求項１５】
前記第一の化合物が、以下の式（１）を有する：
A-(X-Y-CO)m(O-B-CO)nOH                 (1)
ここで、Aは1または2個の隣接カルボニル基を有する、末端エチレン系結合を含む部分であり；
XはOでありかつmは1〜4であるか、またはXはNでありかつmは1であり；
YはC1-18-アルキレンまたはC2-18-アルケニレンであり；
BはC2-6-アルキレンであり、
nは0〜5であり、
但し、Aがエチレン基に隣接する2個のカルボニル基を含む場合、XはNである、
請求項１２〜１４の何れか1項に記載のポリマー組成物。
【請求項１６】
消費後ポリマー廃材料を再生利用する方法であって：
少なくとも1種の消費後廃ポリマーを準備する工程；
該消費後廃ポリマーを清浄化する工程；
以下の成分iおよびiiを含む機能性フィラーを準備する工程：
i. 無機粒状物；および
ii. 1または2個の隣接カルボニル基を有する、末端プロパン酸基またはエチレン基を含む第一の化合物を含有する被膜；並びに
該消費後廃ポリマーと該機能性フィラーとを混ぜ合わせて、再生ポリマーを生成する工程、
を含む、前記消費後ポリマー廃材料を再生利用する方法。
【手続補正２】
【補正対象書類名】明細書
【補正対象項目名】００９９
【補正方法】変更
【補正の内容】
【００９９】
【表５】
2014523462.tif 000001
本発明のまた別の態様は、以下のとおりであってもよい。
〔１〕消費後ポリマー廃材料を再生利用する方法であって：
少なくとも1種の消費後廃ポリマーを準備する工程；
該消費後廃ポリマーを清浄化する工程；
以下の成分iおよびiiを含む機能性フィラーを準備する工程：
i. 無機粒状物；および
ii. 1または2個の隣接カルボニル基を有する、末端プロパン酸基またはエチレン基を含む第一の化合物を含有する被膜；並びに
該消費後廃ポリマーと該機能性フィラーとを混ぜ合わせて、再生ポリマーを生成する工程、
を含む、前記消費後ポリマー廃材料を再生利用する方法。
〔２〕ポリマー廃材料を再生利用する方法であって：
少なくとも1種の廃ポリマーを準備する工程；
第一の処理段階において該廃ポリマーを清浄化する工程；
第二の処理段階において該廃ポリマーを清浄化する工程；
以下の成分iおよびiiを含む機能性フィラーを準備する工程：
i. 無機粒状物；および
ii. 1または2個の隣接カルボニル基を有する、末端プロパン酸基またはエチレン基を含む第一の化合物を含有する被膜；並びに
該廃ポリマーと該機能性フィラーとを混ぜ合わせて、再生ポリマーを生成する工程、
を含む、前記ポリマー廃材料を再生利用する方法。
〔３〕ポリマー廃材料を再生利用する方法であって：
少なくとも1種の廃ポリマーを準備する工程；
該廃ポリマーをドライクリーニング処理する工程；
以下の成分iおよびiiを含む機能性フィラーを準備する工程：
i. 無機粒状物；および
ii. 1または2個の隣接カルボニル基を有する、末端プロパン酸基またはエチレン基を含む第一の化合物を含有する被膜；並びに
該廃ポリマーと該機能性フィラーとを混ぜ合わせて、再生ポリマーを生成する工程、
を含む、前記ポリマー廃材料を再生利用する方法。
〔４〕前記ドライクリーニング工程が、気体中で前記廃ポリマーを遠心処理して、該廃ポリマーから揮発性不純物および固体不純物を除去する工程を含む、前記〔3〕記載の方法。
〔５〕前記廃ポリマーが、少なくとも2種の異なるポリマー、例えばポリエチレンおよびポリプロピレンを含む、前記〔1〕〜〔4〕の何れか1項に記載の方法。
〔６〕前記機能性フィラーが、前記廃ポリマーの、約50質量％〜約70質量％なる範囲の量で存在する、前記〔1〕または前記〔2〕〜〔5〕の何れか1項に記載の方法。
〔７〕前記機能性フィラーが、前記廃ポリマーの、約5質量％〜約50質量％なる範囲の量で存在する、前記〔1〕〜〔6〕の何れか1項に記載の方法。
〔８〕前記無機粒状物が約0.5〜約1.0μmなる範囲のd50を有し、任意に、該無機粒状物が粉砕炭酸カルシウムであり、また、任意に、前記第一の化合物が約0.6〜約1.2質量％なる範囲の量で前記機能性フィラー中に存在する、前記〔1〕〜〔7〕の何れか1項に記載の方法。
〔９〕更に、前記廃ポリマーおよび前記機能性フィラーを、パーオキサイド含有添加剤および/または酸化防止剤と混ぜ合わせて、再生ポリマーを生成する工程を含む、前記〔1〕、〔2〕または〔3〕記載の方法。
〔１０〕前記被膜が、更に、1種またはそれ以上の脂肪酸、1種またはそれ以上の脂肪酸の塩、およびこれらの組合せから選択される第二の化合物を含む、前記〔1〕〜〔9〕の何れか1項に記載の方法。
〔１１〕以下の成分iおよびiiを含む機能性フィラーであって：
i. 無機粒状物；並びに
ii. 該無機粒状物の表面上の被膜、ここで該被膜は、
1または2個の隣接カルボニル基を有する、末端プロパン酸基またはエチレン基を含む第一の化合物；および
1種またはそれ以上の脂肪酸、1種またはそれ以上の脂肪酸の塩、およびこれらの組合せからなる群から選択される第二の化合物、
を含む、前記機能性フィラー。
〔１２〕前記被膜が、更に、パーオキサイド含有添加剤、例えばジクミルパーオキサイドまたは1,1-ジ(tert-ブチルパーオキシ)-3,3,5-トリメチルシクロヘキサンを含む、前記〔11〕記載の機能性フィラー。
〔１３〕前記無機粒状物が、約0.5〜約1.0μmなる範囲のd50を有し、任意に、該無機粒状物が粉砕炭酸カルシウムであり、また、任意に、前記第一の化合物が約0.6〜約1.2質量％なる範囲の量で前記機能性フィラー中に存在する、前記〔11〕または〔12〕記載の機能性フィラー。
〔１４〕以下の成分を含むポリマー組成物であって：
少なくとも1種のポリマー；並びに
以下の成分iおよびiiを含む機能性フィラー：
i. 無機粒状物；および
ii. 該無機粒状物の表面上の被膜、ここで該被膜は、
1または2個の隣接カルボニル基を有する、末端プロパン酸基またはエチレン基を含む第一の化合物を含み、
但し、該少なくとも1種のポリマーが、前記〔1〕〜〔7〕の何れか1項に従ってポリマー廃棄物から再生されない場合には、該被膜は、更に、1種またはそれ以上の脂肪酸、1種またはそれ以上の脂肪酸の塩、およびこれらの組合せからなる群から選択される第二の化合物を含む、前記ポリマー組成物。
〔１５〕前記〔1〕〜〔8〕の何れか1項に記載の方法によって得られる、再生ポリマー組成物。
〔１６〕前記組成物が、更に、パーオキサイド含有添加剤、例えばジクミルパーオキサイドまたは1,1-ジ(tert-ブチルパーオキシ)-3,3,5-トリメチルシクロヘキサンを含み、任意に、該パーオキサイド含有添加剤が、前記被膜内に存在する、前記〔15〕記載の組成物。
〔１７〕前記機能性フィラーが、前記ポリマー組成物または再生ポリマー組成物の、約50〜約70質量％なる範囲の量にて存在する、前記〔14〕〜〔16〕の何れか1項に記載の組成物。
〔１８〕前記機能性フィラーが、前記ポリマー組成物または再生ポリマー組成物の、約5〜約50質量％なる範囲の量にて存在する、前記〔14〕〜〔16〕の何れか1項に記載の組成物。
〔１９〕前記無機粒状物が、約0.5〜約1.0μmなる範囲のd50を有し、任意に、該無機粒状物が粉砕炭酸カルシウムであり、また、任意に、前記第一の化合物が約0.6〜約1.2質量％なる範囲の量で前記機能性フィラー中に存在する、前記〔18〕記載の組成物。
〔２０〕以下の成分iおよびiiを含む機能性フィラーであって：
i. 無機粒状物；および
ii. 1または2個の隣接カルボニル基を有する、末端プロパン酸基またはエチレン基を含む第一の化合物を含有する被膜、
ここで該無機粒状物は、約0.5〜約1.5μmなる範囲のd50を有し、任意に、該無機粒状物が粉砕炭酸カルシウムであり、また、任意に、前記第一の化合物が約0.6〜約1.2質量％なる範囲の量で該機能性フィラー中に存在することを特徴とする、前記機能性フィラー。
〔２１〕前記無機粒状物が約0.5〜約1.0μmなる範囲のd50を有する、前記〔20〕記載の機能性フィラー。
〔２２〕少なくとも1種の廃ポリマー由来の再生ポリマー組成物における、前記〔1〕〜〔3〕の何れか1項で定義される機能性フィラーの使用であって、前記〔1〕〜〔4〕の何れか1項に従って、該少なくとも1種のポリマーが清浄化、例えば溶媒を使用しないドライクリーニングによって清浄化され、任意に、該少なくとも1種の廃ポリマーが、少なくとも2種の異なるポリマーの混合物を含む、前記使用。
〔２３〕任意に少なくとも2種のポリマー組成物を含むポリマー組成物、例えば再生ポリマー組成物の、(i) 1またはそれ以上のノッチなしのシャルピー衝撃特性または(ii) 1またはそれ以上の引張特性を、前記〔21〕記載の機能性フィラーの前記第一および第二の化合物両者を含まない同様なポリマー組成物または再生ポリマー組成物と比較して、改善または維持するための、前記〔22〕記載の機能性フィラーの使用。
〔２４〕前記〔14〕〜〔19〕の何れか1項に記載のポリマー組成物から製造した製品。
〔２５〕少なくとも1種のポリマー、前記〔11〕〜〔13〕、〔20〕または〔21〕の何れか1項に記載の機能性フィラー、および任意にパーオキサイド含有添加剤、例えばジクミルパーオキサイドまたは1,1-ジ(tert-ブチルパーオキシ)-3,3,5-トリメチルシクロヘキサンを含むポリマー組成物から製造した製品であり、任意に、該パーオキサイド含有添加剤が被膜内に存在する、前記製品。
〔２６〕前記ポリマー組成物が、前記〔20〕または〔21〕記載の機能性フィラーを含み、かつ該機能性フィラーが、該ポリマー組成物の約5〜約50質量％なる範囲の量で存在する、前記〔25〕記載の製品。
〔２７〕前記機能性フィラーが、前記ポリマー組成物の約5〜約30質量％なる範囲の量で存在する、前記〔26〕記載の製品。
〔２８〕該製品が、パイプまたはチューブである、前記〔24〕〜〔27〕の何れか1項に記載の製品。
〔２９〕任意に少なくとも2種の異なるポリマーの混合物を含有するポリマー組成物であって、該ポリマー組成物が前記〔20〕または〔21〕記載の機能性フィラーを含み、該機能性フィラーが、該ポリマー組成物の約5〜約50質量％なる範囲の量で該ポリマー組成物中に存在し、該ポリマー組成物が、該機能性フィラーを含まない該ポリマー組成物の第二のノッチ付きシャルピーピークエネルギーよりも大きな第一のノッチ付きシャルピーピークエネルギーを有する、前記ポリマー組成物。
〔３０〕任意に少なくとも2種の異なるポリマーの混合物を含有するポリマー組成物における前記〔20〕または〔21〕記載の機能性フィラーの、該ポリマー組成物から作られた成形部材のノッチ付きシャルピー衝撃特性を改善するための使用であって、該機能性フィラーが、該ポリマー組成物の約5〜約50質量％なる範囲の量で該ポリマー組成物中に存在することを特徴とする、前記使用。
〔３１〕前記機能性フィラーが、該ポリマー組成物の約5〜約30質量％なる範囲の量で該ポリマー組成物中に存在する、前記〔30〕記載の使用。
〔３２〕前記量での前記機能性フィラーの使用が、成形部材の成形後収縮を改善、低下または阻害しない、前記〔30〕または〔31〕記載の使用。
〔３３〕前記成形部材が、射出成型されたものである、前記〔32〕記載の使用。
〔３４〕前記成形部材が、パイプまたはチューブである、前記〔32〕または〔33〕記載の使用。
〔３５〕前記ポリマー組成物が、少なくとも1種の廃ポリマーを由来とする再生ポリマー組成物であり、前記〔1〕〜〔4〕の何れか1項に従って、該少なくとも1種のポリマーが清浄化、例えば溶媒を使用しないドライクリーニング処理によって清浄化され、任意に、該少なくとも1種の廃ポリマーが、少なくとも2種の異なるポリマーの混合物を含む、前記〔30〕〜〔34〕の何れか1項に記載の使用。